(57)【特許請求の範囲】
【請求項１】
画像形成装置本体の一側面から外方に突出し、画像が記録された記録媒体が排紙される排紙台と、前記画像形成装置本体の一側面に着脱自在に設けられる機能拡張用装置とを備えた画像形成装置において、
前記機能拡張用装置の下面が、前記排紙台よりも上方に位置するとともに、前記機能拡張用装置の前面が、前記排紙台に排紙される最小サイズの記録媒体の搬送方向中心線よりも後方に位置することを特徴とする画像形成装置。
【請求項２】
前記機能拡張用装置の下面が、前記画像形成装置本体の一側面から外方に向かうに従って水平面に対して上方に傾斜することを特徴とする請求項１に記載の画像形成装置。
【請求項３】
前記画像形成装置本体の一側面にネジが螺合される複数のネジ穴が設けられ、前記機能拡張用装置に前記ネジ穴のいずれかに位置合わせされ、ネジが挿通される前記機能拡張用装置の取付け用の開口部が形成されることを特徴とする請求項１または請求項２に記載の画像形成装置。
【請求項４】
前記機能拡張用装置が、前記画像形成装置本体の一側面に着脱自在な取付け板と、前記取付け板の上面に装着される機能拡張用装置本体とを備え、
前記機能拡張用装置本体の底面にネジが螺合される複数のネジ穴が設けられ、前記取付け板に、前記機能拡張用装置本体が一定の範囲内で回転した場合に前記ネジ穴に位置決め合わせされ、前記ネジが挿通される前記機能拡張用装置本体の取付け用の開口部が形成されることを特徴とする請求項１ないし請求項３の何れか１項に記載の画像形成装置。
【請求項５】
前記取付け板の前記開口部が、前記取付け板の突出方向先端で突出方向中心線を挟んで対称の位置に設けられていることを特徴とする請求項４に記載の画像形成装置。
【請求項６】
前記画像形成装置本体の上方に、画像読取面において原稿の画像を読取る画像読取手段が設置されるとともに、前記画像読取手段の下方を通して前記排紙台に記録媒体が排紙されるように構成され、
前記取付け板の上面が、前記画像読取手段の画像読取面と略同一の高さに位置することを特徴とする請求項４または請求項５に記載の画像形成装置。
【請求項７】
前記機能拡張用装置と前記画像形成装置とを電気的に接続するハーネスを有し、前記ハーネスの一端部が前記機能拡張用装置本体の上面または後面に設けられた穴を通して前記機能拡張用装置本体に挿通されることを特徴とする請求項４ないし請求項６の何れか１項に記載の画像形成装置。
【請求項８】
前記機能拡張用装置を第１の機能拡張用装置としたときに、前記第１の機能拡張用装置の前方でかつ、前記第１の機能拡張用装置の下方と前記排紙台の上方の間に第２機能拡張用装置が位置するように、前記第２の機能拡張用装置を前記画像形成装置本体の一側面に着脱自在に設け、
前記排紙台の突出方向を幅方向としたときに、前記第１の機能拡張用装置の幅を第２の機能拡張用装置の幅よりも小さくしたことを特徴とする請求項４ないし請求項７の何れか１項に記載の画像形成装置。
【請求項９】
前記機能拡張用装置の後端が、前記画像形成装置本体の後端と同じ若しくは後端よりも前方に位置することを特徴とする請求項１ないし請求項８の何れか１項に記載の画像形成装置。
【請求項１０】
前記機能拡張用装置が、課金装置から構成されることを特徴とする請求項１ないし請求項９の何れか１項に記載の画像形成装置。
【発明の詳細な説明】
【技術分野】
【０００１】
本発明は、画像形成装置に関し、例えば、機能拡張用装置を追加して使用可能な複写機、ファクシミリ装置、あるいは複写機能とファクシミリ機能とが複合された複合機等の画像形成装置に関する。
【背景技術】
【０００２】
複写機、ファクシミリ装置、あるいは複写機能とファクシミリ機能とが複合された複合機等の画像形成装置は、省スペース、多機能であるが、使用頻度の少ない特定機能は機能拡張用装置として用意することが多い。この場合、機能拡張用装置は標準モデルに対して後付けされることが多く、従来は画像形成装置の外周に取付けられることが多かった。
【０００３】
ところが、画像形成装置外周に機能拡張用装置を取付けた場合、機械の設置面積が大きくなり、標準モデルが小さくても機能拡張用装置の取付けによって結果的に画像形成装置の全体設置面積を大きくとらざるを得なかった。  
このような点を解消するものとしては、胴内排紙型の画像形成装置において、胴内排紙部の上方の画像形成装置本体に機能拡張用装置の取付け板を収納および引き出し自在に設け、機能拡張用装置を取付ける際に、機能拡張用装置の取付け板を画像形成装置本体の内部より引き出すことにより、機能拡張用装置を必要なときにのみ使用可能とし、機能拡張用装置が不要な際には取付け板を本体内に収納することで設置面積を小さくするようにしたものがある（例えば、特許文献１参照）。
【特許文献１】特開２００５−３１４４４号公報
【発明の開示】
【発明が解決しようとする課題】
【０００４】
しかしながら、このような従来の画像形成装置にあっては、機能拡張用装置が装着された場合には従来通り画像形成装置から取付け板が大きく突出した状態で固定されることになる。
【０００５】
このような取付け板を、画像形成装置本体の側面から外方に突出する排紙台に記録紙が排紙される構造の画像形成装置に適用した場合には、排紙された記録紙の上方を機能拡張用装置の取付け板が覆うことになるため、排紙の取り出しを悪化させてしまうという問題がある。
【０００６】
すなわち、胴内排紙型の画像形成装置は、画像形成装置本体の高さ方向中央部に記録紙を排紙する空間が必要であるため、画像形成装置の高さが高くなってしまい、画像形成装置が大型化してしまう。
【０００７】
これに対して、画像形成装置本体の側面から外方に突出する排紙台を有する画像形成装置は、画像形成装置本体の高さ方向中央部に記録紙を排紙する空間が不要となるため、画像形成装置の高さを低くして画像形成装置の小型化を図ることができる。
【０００８】
しかしながら、画像形成装置本体の側面から外方に突出する排紙台を有する画像形成装置に特許文献１に記載される機能拡張用装置を採用すると、画像形成装置本体から引き出された取り出し板が排紙台の上方を覆ってしまい、記録紙の取り出しを悪化させてしまうという問題が発生してしまう。
【０００９】
本発明はこのような課題を解決するためになされたもので、画像形成装置本体の一側面から外方に突出する排紙台を備えた画像形成装置に機能拡張用装置を装着した場合であっても、記録媒体の取り出し性が低下するのを防止することができる画像形成装置を提供するものである。
【課題を解決するための手段】
【００１０】
本発明の画像形成装置は、上記目的を達成するため、画像形成装置本体の一側面から外方に突出し、画像が記録された記録媒体が排紙される排紙台と、前記画像形成装置本体の一側面に着脱自在に設けられる機能拡張用装置とを備えた画像形成装置において、前記機能拡張用装置の下面が、前記排紙台よりも上方に位置するとともに、前記機能拡張用装置の前面が、前記排紙台に排紙される最小サイズの記録媒体の搬送方向中心線よりも後方に位置するものから構成されている。
【００１１】
この構成により、機能拡張用装置の下面を、排紙台よりも上方に位置させるとともに、機能拡張用装置の前面を、排紙台に排紙される最小サイズの記録媒体の搬送方向中心線よりも後方に位置させることにより、排紙台に排紙される最小サイズの記録媒体の搬送方向中心線よりも前方側の上方に機能拡張用装置が存在しないようにすることができ、少なくとも最小サイズの記録媒体の半分を外部から視認して排紙台から取り出すことができる。
【００１２】
したがって、画像形成装置本体の一側面から外方に突出する排紙台を備えた画像形成装置に機能拡張用装置を装着した場合であっても、排紙台から最小サイズ以上の記録媒体を取り出すときに機能拡張用装置が妨げになるのを防止することができ、記録媒体の取り出し性が低下するのを防止することができる。
【００１３】
また、本発明の画像形成装置の前記機能拡張用装置の下面が、前記画像形成装置本体の一側面から外方に向かうに従って水平面に対して上方に傾斜するものから構成されている。
この構成により、機能拡張用装置の下面を外方に向かうに従って上方に傾斜させているので、排紙台に記録媒体を積載する空間を大きくすることができ、排紙台に載置される記録媒体の高さを高くする、すなわち、枚数を多くすることができる。
【００１４】
また、本発明の画像形成装置は、前記画像形成装置本体の一側面にネジが螺合される複数のネジ穴が設けられ、前記機能拡張用装置に前記ネジ穴のいずれかに位置合わせされ、ネジが挿通される前記機能拡張用装置の取付け用の開口部が形成されるものから構成されている。
【００１５】
この構成により、画像形成装置本体の側面に形成されたネジ穴に機能拡張用装置の取付け用の開口部のいずれかを位置合わせしてネジによって機能拡張用装置を画像形成装置本体に取付けることができるため、画像形成装置本体の側面の任意の位置に機能拡張用装置を装着することができるとともに、画像形成装置本体の側面に他の機能拡張用装置が装着されている場合には、他の機能拡張用装置を避けて機能拡張用装置を装着することができる。
【００１６】
また、本発明の画像形成装置は、前記機能拡張用装置が、前記画像形成装置本体の一側面に着脱自在な取付け板と、前記取付け板の上面に装着される機能拡張用装置本体とを備え、前記機能拡張用装置本体の底面にネジが螺合される複数のネジ穴が設けられ、前記取付け板に、前記機能拡張用装置本体が一定の範囲内で回転した場合に前記ネジ穴に位置決め合わせされ、前記ネジが挿通される前記機能拡張用装置本体の取付け用の開口部が形成されるものから構成されている。
【００１７】
この構成により、取付け板に、機能拡張用装置本体が一定の範囲内で回転した場合に機能拡張用装置の底面に形成されたネジ穴に位置決め合わせされる開口部を形成したので、取付け板をユーザの使い易い向きで機能拡張用装置本体を取付けることができる。したがって、画像形成装置の使用環境に応じて画像形成装置の左右いずれの側面にでも機能拡張用装置本体を選択して装着することができる。
【００１８】
また、本発明の画像形成装置の前記取付け板の前記開口部が、前記取付け板の突出方向先端で突出方向中心線を挟んで対称の位置に設けられているものから構成されている。
【００１９】
この構成により、取付け板が画像形成装置本体の左右のいずれの側面に設置された場合にも、機能拡張用装置本体を取付け板の突出方向先端側に取付けることができ、機能拡張用装置の操作性を向上させることができる。
【００２０】
また、本発明の画像形成装置は、前記画像形成装置本体の上方に、画像読取面において原稿の画像を読取る画像読取手段が設置されるとともに、前記画像読取手段の下方を通して前記排紙台に記録媒体が排紙されるように構成され、前記取付け板の上面が、前記画像読取手段の画像読取面と略同一の高さに位置するものから構成されている。
【００２１】
この構成により、機能拡張用装置本体が載置される取付け板の上面が、画像読取手段の画像読取面と略同一の高さに位置するので、機能拡張用装置を画像形成装置本体の上方に設置することができ、機能拡張用装置の操作性を向上させることができる。
【００２２】
また、本発明の画像形成装置は、前記機能拡張用装置と前記画像形成装置とを電気的に接続するハーネスを有し、前記ハーネスの一端部が前記機能拡張用装置本体の上面または後面に設けられた穴を通して前記機能拡張用装置本体に挿通されるものから構成されている。
【００２３】
この構成により、ハーネスを排紙台から離れた位置に設置することができ、ハーネスが排紙台に排紙される記録媒体に衝突して排紙経路上で記録媒体のジャムが発生してしまうのを防止することができる。
【００２４】
また、本発明の画像形成装置は、前記機能拡張用装置を第１の機能拡張用装置としたときに、前記第１の機能拡張用装置の前方でかつ、前記第１の機能拡張用装置の下方と前記排紙台の上方の間に第２の機能拡張用装置が位置するように、前記第２の機能拡張用装置を前記画像形成装置本体の一側面に着脱自在に設け、前記排紙台の突出方向を幅方向としたときに、前記第１の機能拡張用装置の幅を第２の機能拡張用装置の幅よりも小さくしたものから構成されている。
【００２５】
この構成により、第１の機能拡張用装置の前方でかつ、第１の機能拡張用装置の下方と排紙台の上方の間に第２の機能拡張用装置を設置し、第２の機能拡張用装置の幅を第１の機能拡張用装置の幅よりも小さくしたので、第１の機能拡張用装置と第２の機能拡張用装置の一方を操作するときに他方が操作の妨げになるのを防止することができる。
【００２６】
また、本発明の画像形成装置の前記機能拡張用装置本体の後端が、前記画像形成装置の後端と同じ若しくは後端よりも前方に位置するものから構成されている。
この構成により、機能拡張用装置の後端を、画像形成装置の後端と同じ若しくは後端よりも前方に位置させたので、画像形成装置本体の後端を壁に密着させるようにして設置した場合でも、機能拡張用装置が壁に干渉するのを防止することができ、画像形成装置の設置スペースが増大してしまうのを防止することができる。
【００２７】
また、本発明の画像形成装置の前記機能拡張用装置が、課金装置から構成されている。
この構成により、画像形成装置の使用状態に応じて課金を行うことができ、画像形成装置の機能を拡張することができる。
【発明の効果】
【００２８】
以上説明したように、画像形成装置本体の一側面から外方に突出する排紙台を備えた画像形成装置に機能拡張用装置を装着した場合であっても、記録媒体の取り出し性が低下するのを防止することができる画像形成装置を提供することができる。
【発明を実施するための最良の形態】
【００２９】
以下、本発明の実施の形態について、図面を用いて説明する。
（第１の実施の形態）
図１〜図９は本発明に係る画像形成装置の第１の実施の形態を示す図であり、本実施の形態では、画像形成装置を複写機に適用した例を示している。
【００３０】
なお、画像形成装置としては複写機以外にファクシミリ装置、複写機能とファクシミリ機能等を備えた複合機等に適用することができる。
【００３１】
まず、構成を説明する。
図１は、複写機を前方および側方から見た斜視図、図２は、複写機の正面図、図３は、複写機の上面図である。
【００３２】
図１〜図３において、画像形成装置としての複写機１１は、画像形成装置本体（以下、単に筐体という）１２の上面に自動原稿搬送装置（以下、単にＡＤＦという）１３が搭載されており、このＡＤＦ１３は、画像形成装置本体１２の上面に図示しないヒンジ機構を介して開閉自在に設けられている。
【００３３】
ＡＤＦ１３は、原稿束を載置する原稿トレイ１３ａと、原稿トレイ１３ａに載置された原稿束から原稿を分離して筐体１２の上面に設けられたコンタクトガラス（コンタクトガラスが存在する部分を図２中、符号１４で示す）に向かって搬送し、コンタクトガラス１４の下方に設けられた公知の光源、ミラー、レンズ、ＣＣＤ等からなる画像読取手段で読取られた原稿を原稿トレイ１３ａの下方の排紙台１３ｂに排紙するようになっている。なお、画像読取手段が設置されている箇所を符号１６で示し、画像読取手段１６の画像読取面がコンタクトガラス１４に相当する。
【００３４】
筐体１２内には、記録媒体としての記録紙に画像を形成するための画像形成手段が設けられており、この画像形成手段は、感光体ドラムと、感光体ドラムの周囲に設置された現像装置、転写ベルト、クリーニング装置、帯電装置および除電装置と、記録紙に転写されたトナーを記録紙に定着させる定着装置とを含んで構成されている。
【００３５】
また、筐体１２の一側面には排紙台１５が設けられており、この排紙台１５は、筐体１２の一側面から外方に突出している。この排紙台１５には画像形成手段によって画像が記録された記録紙Ｓが排紙されるようになっており、この排紙台１５には画像読取手段１６の下方を通して記録紙Ｓが排紙されるようになっている。
また、複写機１１の胴内には図示しない後処理装置が設けられており、複写機１１の前面に設けられたカバー３３を図１中、左側にスライドさせることにより後処理装置が露出されるようになっている。
【００３６】
また、筐体１２の一側面には機能拡張用装置１７が着脱自在に設けられており、この機能拡張用装置１７は、筐体１２の一側面に着脱自在な取付け板１８と、取付け板１８の上面に装着される機能拡張用装置本体１９とを含んで構成されている。なお、図３では機能拡張用装置本体１９を図示省略している。
【００３７】
機能拡張用装置本体１９は、課金装置から構成されており、この課金装置は、例えば、キーカウンタ、キーカードリーダー、ＩＣカードリーダー、または指紋認証装置等から構成されており、特定のユーザによって入力されるユーザ情報に基づいて、記録紙に画像を形成する毎に課金を行うようになっている。
【００３８】
また、機能拡張用装置１７の下面、すなわち、取付け板１８は、排紙台１５よりも上方に位置しているとともに、取付け板１８の前面は、排紙台１５に排紙される最小サイズ、例えば、Ｂ５の縦原稿の搬送方向中心線Ｏ（図３参照）よりも後方に位置している。
【００３９】
また、取付け板１８の上面は、コンタクトガラス１４と略同一の高さに位置しており、図４、図５に示すように、取付け板１８の突出方向両端部には一対の三角形状の補強部２０が垂下されているとともに、取付け板１８の筐体１２側取付け面には固定部２１が垂下されている。
【００４０】
排紙台１５は、筐体１２の一側面から外方に向かうに従って水平面に対して上方に傾斜しているとともに、補強部２０の底面は、筐体１２の一側面から外方に向かうに従って水平面に対して上方に傾斜しており、排紙台１５と補強部２０の底面の隙間は筐体１２の一側面から外方に向かうに従って一定の距離を保っている。
【００４１】
一方、筐体１２の一側面にはネジ２２（図４、図５参照）が螺合される図示しない複数のネジ穴が設けられており、図４、図５に示すように固定部２１には筐体１２のネジ穴のいずれかに位置合わせされ、ネジ２２が挿通される取付け板１８の固定用の開口部２３ａ、２３ｂ、２３ｃが形成されている。なお、筐体１２のネジ穴の数は開口部２３ａ、２３ｂ、２３ｃの数よりも多く形成されている。
【００４２】
本実施形態では、取付け板１８を筐体１２の一側面に取付けるときに、開口部２３ａ、２３ｂ、２３ｃと筐体１２の一側面のネジ穴のいずれかを位置合わせし、ネジ穴に合致する開口部、図５では、開口部２３ａ、２３ｃにネジ２２を挿通してネジ２２を筐体１２のネジ穴に螺合することにより、取付け板１８と共に機能拡張用装置本体１９を筐体１２の一側面に装着する。
【００４３】
また、図６に示すように、機能拡張用装置本体１９の底面には図示しないネジが螺合される複数のネジ穴１９ａ〜１９ｄが設けられており、図７に示すように、取付け板１８には、機能拡張用装置本体１９が一定の範囲、例えば１８０°の範囲内で回転した場合にネジ穴１９ａ〜１９ｄに位置決め合わせされ、ネジが挿通される機能拡張用装置本体１９の取付け用の開口部１８ａ〜１８ｄが形成されている。
【００４４】
具体的には、取付け板１８の開口部１８ａ〜１８ｄが、取付け板１８の突出方向先端で突出方向中心線Ｏ１を挟んで対称の位置にそれぞれ一対（１８ａ、１８ｂおよび１８ｃ、１８ｄ）設けられている。
【００４５】
本実施形態では、取付け板１８に機能拡張用装置本体１９を取付けるときに、開口部１８ａ〜１８ｄにネジを挿通してネジを機能拡張用装置本体１９のネジ穴１９ａ〜１９ｄに螺合することにより、取付け板１８に機能拡張用装置本体１９を固定する。
【００４６】
本実施の形態では、取付け板１８の開口部１８ａ〜１８ｄが、取付け板１８の突出方向先端で突出方向中心線Ｏ１を挟んで対称の位置にそれぞれ一対設けられているため、図４、図８で示すように取付け板１８に対して機能拡張用装置本体１９を１８０°回転して取付けることができ、図９に示すように取付け板１８が筐体１２の左右のいずれの側面に設置された場合にも、機能拡張用装置本体１９を取付け板１８の突出方向先端側に取付けることができ、機能拡張用装置本体１９の操作性を向上させることができる。
また、図３に示すように機能拡張用装置１７の取付け板１８の後端は、筐体１２の後端と同じに設定されている。
【００４７】
以上のように構成された本実施の形態の複写機１１は、機能拡張用装置１７を、筐体１２の一側面に着脱自在な取付け板１８と、取付け板１８の上面に装着される機能拡張用装置本体１９とを含んで構成し、取付け板１８を、排紙台１５よりも上方に位置させるとともに、取付け板１８の前面を、排紙台１５に排紙される最小サイズの記録紙Ｓの搬送方向中心線Ｏよりも後方に位置させるようにしたので、排紙台１５に排紙される最小サイズの記録紙Ｓの搬送方向中心線Ｏよりも前方側の上方に機能拡張用装置１７が存在しないようにすることができ、少なくとも最小サイズの記録紙Ｓの半分を外部から視認して排紙台１５から取り出すことができる。
【００４８】
したがって、筐体１２の一側面から外方に突出する排紙台１５を備えた複写機１１に機能拡張用装置１７を装着した場合であっても、排紙台１５から最小サイズ以上の記録紙Ｓを取り出すときに機能拡張用装置１７が妨げになるのを防止することができ、記録紙Ｓの取り出し性が低下するのを防止することができる。
【００４９】
また、本実施の形態では、補強部２０の底面を、筐体１２の一側面から外方に向かうに従って水平面に対して上方に傾斜させているので、排紙台１５に記録紙Ｓを積載する空間を大きくすることができ、排紙台１５に載置される記録紙Ｓの高さを高くする、すなわち、枚数を多くすることができる。
【００５０】
また、本実施の形態では、筐体１２の一側面にネジ２２が螺合される複数のネジ穴を設け、取付け板１８の固定部２１に筐体１２のネジ穴のいずれかに位置合わせされ、ネジ２２が挿通される機能拡張用装置１７の取付け用の開口部２３ａ〜２３ｃを形成したので、ネジ穴に合致する開口部２３ａ〜２３ｃにネジ２２を挿通してネジ２２を筐体１２のネジ穴に螺合することにより、取付け板１８と共に機能拡張用装置本体１９を筐体１２に一側面に装着することができる。
【００５１】
このため、筐体１２に側面の任意の位置に機能拡張用装置１７を装着することができるとともに、筐体１２の側面に他の機能拡張用装置が装着されている場合には、他の機能拡張用装置を避けて機能拡張用装置１７を筐体１２に装着することができる。
【００５２】
また、本実施の形態では、筐体１２の上方のコンタクトガラス１４において原稿の画像を読取る画像読取手段１６を設置するとともに、画像読取手段１６の下方を通して排紙台１５に記録紙Ｓが排紙されるように構成し、取付け板１８の上面を、画像読取手段１６のコンタクトガラス１４と略同一の高さに位置したので、機能拡張用装置１７を筐体１２の上方に設置することができ、機能拡張用装置１７の操作性を向上させることができる。
【００５３】
また、本実施の形態では、機能拡張用装置本体１９の底面にネジが螺合される複数のネジ穴１９ａ〜１９ｄを設け、取付け板１８に、機能拡張用装置本体１９が一定の範囲内で回転した場合にネジ穴１９ａ〜１９ｄに位置決め合わせされ、ネジが挿通される機能拡張用装置本体１９の取付け用の開口部１８ａ〜１８ｄを形成したので、取付け板１８にユーザの使い易い向きで機能拡張用装置本体１９を取付けることができる。したがって、複写機１１の使用環境に応じて複写機１１の左右いずれの側面にでも機能拡張用装置本体１９を選択して装着することができる。
【００５４】
また、本実施の形態では、取付け板１８の開口部１８ａ〜１８ｄを、取付け板１８の突出方向先端で突出方向中心線Ｏ１を挟んで対称の位置に設けたので、取付け板１８が複写機１１の左右のいずれの側面に設置された場合にも、機能拡張用装置本体１９を取付け板１８の突出方向先端側に取付けることができ、機能拡張用装置１７の操作性を向上させることができる。
【００５５】
また、本実施の形態では、機能拡張用装置１７を課金装置から構成したので、複写機１１の使用状態に応じて課金を行うことができ、複写機１１の機能を拡張することができる。
【００５６】
また、本実施の形態では、機能拡張用装置１７の取付け板１８の後端を、筐体１２の後端と同じ位置させたので、筐体１２の後端を壁に密着させるようにして設置した場合でも、機能拡張用装置１７が壁に干渉するのを防止することができ、複写機１１の設置スペースが増大してしまうのを防止することができる。
【００５７】
（第２の実施の形態）
図１０は本発明に係る画像形成装置の第２の実施の形態を示す図であり、第１の実施の形態と同一の符号には同一番号を付して説明を省略する。なお、図１０は複写機１１を後方および側方から見た斜視図である。
図１０に示すように、機能拡張用装置１７と複写機１１とはハーネス３１によって電気的に接続されており、ハーネス３１の一端は機能拡張用装置１７を制御するコントローラに接続されているとともに、ハーネス３１の他端は複写機１１を制御するコントローラに接続されている。
【００５８】
ハーネス３１の他端は、機能拡張用装置本体１９の後面に設けられた穴を通して機能拡張用装置本体１９に挿通され、コントローラを搭載するプリント基板に接続されている。
【００５９】
このように本実施の形態では、ハーネス３１の他端を、機能拡張用装置本体１９の後面に設けられた穴を通して機能拡張用装置本体１９に挿通したので、ハーネス３１を排紙台１５から離れた位置に設置することができ、ハーネス３１が排紙台１５に排紙される記録紙に衝突して排紙経路上で記録紙のジャムが発生してしまうのを防止することができる。
なお、本実施の形態では、ハーネス３１の他端を、機能拡張用装置本体１９の後面に設けられた穴を通して機能拡張用装置本体１９に挿通しているが、ハーネス３１の他端を、機能拡張用装置本体１９の上面に設けられた穴を通して機能拡張用装置本体１９に挿通してもよく、このようにしても同様の効果を得ることができる。
また、記録紙のジャムが発生したときに、複写機１１の胴内に設けられた後処理装置を露出するためにカバー２４をスライドさせた場合にあっても、ハーネス３１が後処理装置および排紙台１５と干渉しないようにすることができる。
【００６０】
（第３の実施の形態）
図１１は本発明に係る画像形成装置の第３の実施の形態を示す図であり、第１の実施の形態と同一の符号には同一番号を付して説明を省略する。なお、図１０は複写機１１を前方および側方から見た斜視図である。
【００６１】
図１１に示すように、第１の機能拡張用装置である機能拡張用装置１７の前方でかつ、機能拡張用装置１７の下方と排紙台１５の上方の間に第２機能拡張用装置である機能拡張用装置３２が位置するように、機能拡張用装置３２が筐体１２の一側面に着脱自在に設けられており、排紙台１５の突出方向を幅方向としたときに、機能拡張用装置３２の幅は、機能拡張用装置１７の幅よりも小さく形成されている。
【００６２】
このように本実施の形態では、機能拡張用装置１７の前方でかつ、機能拡張用装置１７の下方と排紙台１５の上方の間に機能拡張用装置３２を設置し、機能拡張用装置３２の幅を機能拡張用装置１７の幅よりも小さくしたので、機能拡張用装置１７と機能拡張用装置３２の一方を操作するときに他方が操作の妨げになるのを防止することができる。
【００６３】
なお、上記各実施の形態では、機能拡張用装置１７の取付け板１８の後端が筐体１２の後端と同じに設定されているが、筐体１２の後端よりも前方に位置していればよい。
また、排紙台１５が筐体１２の一側面から外方に向かうに従って水平面に対して上方に傾斜しているが、排紙台１５は、水平であってもよい。
【産業上の利用可能性】
【００６４】
以上のように、本発明に係る画像形成装置は、画像形成装置本体の一側面から外方に突出する排紙台を備えた画像形成装置に機能拡張用装置を装着した場合であっても、記録媒体の取り出し性が低下するのを防止することができるという効果を有し、機能拡張用装置を追加して使用可能な複写機、ファクシミリ装置、あるいは複写機能とファクシミリ機能とが複合された複合機等の画像形成装置等として有用である。
【図面の簡単な説明】
【００６５】
【図１】本発明に係る画像形成装置の第１の実施の形態を示す図であり、複写機を前方および側方から見た斜視図である。
【図２】第１の実施の形態の複写機の正面図である。
【図３】第１の実施の形態の複写機の上面図である。
【図４】第１の実施の形態の機能拡張用装置を筐体の一側面に取付けたときの斜視図である。
【図５】第１の実施の形態の取付け板を後方から見た図である。
【図６】第１の実施の形態のオプション本体の底面図である。
【図７】第１の実施の形態の取付け板の上面図である。
【図８】第１の実施の形態の機能拡張用装置を筐体の他側面に取付けたときの斜視図である。
【図９】第１の実施の形態の機能拡張用装置を筐体の両側面に取付けたときの複写機を前方および側方から見た斜視図である。
【図１０】本発明に係る画像形成装置の第２の実施の形態を示す図であり、複写機を後方および側方から見た斜視図である。
【図１１】本発明に係る画像形成装置の第３の実施の形態を示す図であり、複写機を前方および側方から見た斜視図である。
【符号の説明】
【００６６】
１１  複写機（画像形成装置）
１２  筐体（画像形成装置本体）
１５  排紙台
１６  画像読取手段
１７  機能拡張用装置（第１の機能拡張用装置）
１８  取付け板
１８ａ〜１８ｄ  開口部
１９  機能拡張用装置本体
１９ａ〜１９ｄ  ネジ穴
２２  ネジ
２３ａ〜２３ｃ  開口部
３１  ハーネス
３２  機能拡張用装置（第２の機能拡張用装置）
Ｏ  搬送方向中心線
Ｏ１  突出方向中心線
【図１】
0004995768.tif 000002
【図２】
0004995768.tif 000003
【図３】
0004995768.tif 000004
【図４】
0004995768.tif 000005
【図５】
0004995768.tif 000006
【図６】
0004995768.tif 000007
【図７】
0004995768.tif 000008
【図８】
0004995768.tif 000009
【図９】
0004995768.tif 000010
【図１０】
0004995768.tif 000011
【図１１】
0004995768.tif 000012